(57)【特許請求の範囲】
【請求項１】
穀粒貯蔵槽の床板を通気性の良い構造にし、この床板を通過して床板下方の導風路より乾燥風を槽内に供給すると共に、穀粒貯蔵槽の上方に移動台を架設し、外周に螺旋羽根を有する下端が自由端の撹拌棒を移動台より槽内に移動可能に懸下し、槽内に貯留する穀粒を撹拌しながら乾燥する穀粒乾燥貯蔵施設において、
撹拌棒回転軸にスリーブを設け、
前記撹拌棒の上部を、このスリーブ内を上下スライド自在のユニバーサルジョイントを介して、前記移動台に載置した撹拌棒回転軸に連結し、
しかして、ユニバーサルジョイントを上向きに付勢して通常スリーブ内に収容した状態にし、撹拌棒に対する下向きの推力が過大になったとき、ユニバーサルジョイントが下方にスライドしてスリーブ外に出ることを特徴とする穀粒乾燥貯蔵施設における穀粒撹拌装置。
【発明の詳細な説明】
【０００１】
【産業上の利用分野】
本発明はライスセンタのような大規模な穀粒乾燥貯蔵施設において、穀粒の乾燥むらを防ぐため貯蔵中の穀粒を撹拌する装置に関するものである。
【０００２】
【従来の技術】
乾燥貯蔵槽に収穫した穀粒を貯蔵する際、収穫した生籾の状態では２５％前後の高い水分を保有しており、そのまま長時間堆積すると変質するため、貯蔵の段階で１８％程度まで乾燥する必要がある。
そこで従来は、乾燥貯蔵槽の床板に多数の孔を設けて通気性の良い構造にし、床板を通して乾燥風を槽内に送り込み、穀粒を通風乾燥する。
また、引き続き張り込む穀粒と合わせて槽内全体をできるだけ均質に乾燥するため、貯蔵槽底部の乾燥が進んだ穀粒を上層部に運び、代わりに水分の多い穀粒を底部に下降して、乾燥貯蔵槽内の穀粒を撹拌混合することが行われている。
【０００３】
穀粒の撹拌は、外周にスパイラル状の羽根を設けた下端が自由端の撹拌棒を槽内の穀粒中に垂直に懸下し、この撹拌棒を回転して行う。
また貯蔵槽の上方に撹拌棒の移動装置を設置して撹拌棒を回転しながら槽内を移動して、まんべんなく穀粒を撹拌する。
ところが撹拌棒を満杯の穀粒の中で移動すると、撹拌棒の下端は自由端であるから、穀粒の抵抗により強大な曲げ応力がかかり、撹拌棒が曲るおそれがある。これを避けるには、撹拌棒の移動速度を遅くするとよいが、遅いと移動に時間かかり槽内をまんべんなく撹拌しにくいという問題を生じる。
また穀粒を槽外に排出する際にも、排出口に向かって流動する穀粒の圧力により撹拌棒が曲がってしまうことがある。そのような排出時の曲げを防ぐには排出時も撹拌棒を回転し続ける必要があるが、排出時に撹拌棒を回転すると穀粒の円滑な排出が妨げられ、回転のための動力も余計に消費するという問題がある。
【０００４】
【発明が解決しようとする課題】
本発明は、このような従来の問題点を解決するもので、撹拌棒の移動や穀粒の排出の際に撹拌棒にかかる曲げ応力を軽減し、これにより撹拌棒の損傷を防止することを目的とする。
【０００５】
【課題を解決する手段】
上記目的を達成するため、本発明では、穀粒貯蔵槽の床板を通気性の良い構造にし、この床板を通過して床板下方の導風路より乾燥風を槽内に供給すると共に、穀粒貯蔵槽の上方に移動台を架設し、外周に螺旋羽根を有する下端が自由端の撹拌棒を移動台より槽内に移動可能に懸下し、槽内に貯留する穀粒を撹拌しながら乾燥する穀粒乾燥貯蔵施設において、撹拌棒回転軸にスリーブを設け、前記撹拌棒の上部を、このスリーブ内を上下スライド自在のユニバーサルジョイントを介して、前記移動台に載置した撹拌棒回転軸に連結し、しかして、ユニバーサルジョイントを上向きに付勢して通常スリーブ内に収容した状態にし、撹拌棒に対する下向きの推力が過大になったとき、ユニバーサルジョイントが下方にスライドしてスリーブ外に出ることを特徴とする。
【０００６】
【作用】
本発明では、撹拌棒回転軸にスリーブを設け、前記撹拌棒の上部を、このスリーブ内を上下スライド自在のユニバーサルジョイントを介して、前記移動台に載置した撹拌棒回転軸に連結する。さらに、ユニバーサルジョイントを上向きに付勢して通常スリーブ内に収容した状態にし、撹拌棒に対する下向きの推力が過大になったとき、ユニバーサルジョイントが下方にスライドしてスリーブ外に出るようにする。
よって、撹拌棒の回転中に撹拌棒に対して穀粒による下向きの推力が過大になると、ユニバーサルジョイントの屈曲部分がスリーブの外に出て、ユニバーサルジョイントは屈折可能状態となる。
また、この過大な推力がなくなると、再びユニバーサルジョイントの屈曲部分がスリーブ内に収容されて、撹拌棒はユニバーサルジョイントにより屈曲されることなく回転する。
このように構成すると、満杯の穀粒中を移動するときも、また穀粒を排出するときも、撹拌棒に加わる曲げ応力が軽減されるため、撹拌棒が穀粒の抵抗で曲がるのを抑制する。
また、乾燥貯蔵槽内に穀粒が少ない場合に撹拌棒が空回りすることがあっても、撹拌棒のぶれはなく、乾燥貯蔵槽を傷付けたり、撹拌棒を損傷したりすることがない。
【０００７】
【実施例】
本発明の実施例を図面を参照して詳細に説明する。
図１は本発明の穀粒撹拌装置を設けた穀粒乾燥貯蔵施設の正面の断面図で、図２はその側面の要部断面図である。
１は穀粒貯蔵倉庫で、その建屋の外壁と屋根部分を角波状の鉄板とその内側に断熱材を張付けて保温構造とする。穀粒貯蔵倉庫１の内部を仕切壁２により縦横に分割して乾燥貯蔵槽３を形成する。
乾燥貯蔵槽３の床板４には穀粒が落下しない程度の径の通気孔を多数開口し、通気性に富む構造に形成する。床板４の一隅に穀粒の排出口５を形成し、排出口５の直下の床下には前後方向に伸びる排出ローテーション用コンベア６を設置し、その終端にはホッパ７ａを設け、ホッパ７ａから乾燥した穀粒を他の処理作業場に移送接続する。
さらに床板４の下方に導風路８を形成し、導風路８には送風装置（図示せず）の送風口を接続し、乾燥空気を導風路８に供給し、床板４より、乾燥貯蔵槽３内の穀粒に乾燥空気を送り込み穀粒を乾燥する。
【０００８】
乾燥貯蔵槽３の上部にははり９を渡し、これを建屋の側壁と仕切壁２に固定する。１０は操業状態を監視する監視用通路である。
１１は張込コンベアで、その終端をホッパ７ｂを介して移動コンベア１２に接続する。移動コンベア１２は、はり９に沿うレール９ａ上を移動する。
【０００９】
穀粒は、張込コンベア１１よりホッパ７ｂを経て移動コンベア１２に流れ、これより移動コンベア１２の前後の終端に設けた散布装置１３を経て、下方の乾燥貯蔵槽３に投下される。
移動コンベア１２は張込コンベア１１のホッパ７ｂを中心に前後方向に移動するとともに、コンベアベルトの進行方向を正逆反転することにより、穀粒の投下位置を変更し、順次全部の乾燥貯蔵槽３に穀粒を供給する。
【００１０】
１４は断面山型のガイドレールで、これに動輪１５ａを載せて移動台１６を支持する。
【００１１】
図３は移動台１６の一部を省略して示す正面図、図４はその一部省略平面図である。
移動台１６上に移動台移動装置１７を搭載する。２０ａは移動台移動装置１７の移動モータ、２１ａは回転方向変換器で、モータ２０ａの回転方向を９０度変換して動輪１５ａの回転軸２２に動力を伝え、移動台１６をガイドレール１４に沿って前後方向に移動する。
【００１２】
さらに移動台１６上には、左右方向に断面山型のスライドレール２３を一対設け、動輪１５ｂをスライドレール２３の上に載せて台車２４を支持する。
台車２４上には台車移動装置２５を搭載し、回転方向変換器２１ｂにより移動モータ２０ｂの回転方向を９０度変換して動輪１５ｂの回転軸２２ｂに動力を伝え、回転軸２２ｂにより台車２４の４つの動輪１５ｂを回転して台車２４をスライドレール２３に沿って左右方向に移動する。
【００１３】
台車２４には、左右の対称位置に夫々撹拌棒１８を回転駆動する撹拌棒駆動装置１９を設け、撹拌棒駆動装置１９は駆動電動機２６とこれによりベルト駆動される撹拌棒回転軸２７からなり、撹拌棒回転軸２７は台車２４の下方に先端を突出し、先端にはユニバーサルジョイント２８を介して撹拌棒１８を取付ける。
撹拌棒１８は外周に螺旋状の羽根を形成し、撹拌棒駆動装置１９の駆動電動機２６により撹拌棒回転軸２７を介して一定方向に回転して、乾燥貯蔵槽３内に堆積した穀粒を撹拌し、下層の穀粒を持ち上げて上層の穀粒を沈降して、撹拌混合して穀粒の乾燥を均一にし、さらに台車２４を左右に、移動台１６を前後に移動して、撹拌棒１８を乾燥貯蔵槽３の内部にまんべんなく移動して、乾燥貯蔵槽３内の穀粒を適切に乾燥する。
【００１４】
図５および図６は本発明の実施例の撹拌棒連結部を示し、図５は撹拌棒回転軸２７にユニバーサルジョイント２８が屈折不能に固定された状態を示し、図６はユニバーサルジョイント２８が屈折自在の状態を示している。
駆動電動機２６（図示せず）によりベルト駆動された撹拌棒回転軸２７の先端に、スリーブ２９を介してユニバーサルジョイント２８を連結し、ユニバーサルジョイント２８の上端にはスライド軸３１を形成し、下端には撹拌棒１８を連結する。
スリーブ２９は、下端にユニバーサルジョイント２８の外筒を収納する内径と深さの段凹部３０を、また上端にユニバーサルジョイント２８のスライド軸３１を貫通するスライド孔３２を形成し、外周に上端から所定範囲に外径を細くし段付部３３を形成する。そして細い外径部分に軸方向に伸びる一対のスリット３４を対称に形成し、段凹部側からスライド軸３１とユニバーサルジョイント２８を挿入する。また細い外径部分に見合う内径のコイルスプリング３５を細い外径部分に嵌合してコイルスプリング３５の一端を段付部３３に突き当て、コイルスプリング３５を所定範囲に圧縮する。そしてこのように圧縮した状態で、スリット３４を通してスライド軸３１の先端部に貫通するピン３６を立設し、ピン３６によりコイルスプリング３５の他端を支持し、コイルスプリング３５の反発により、スライド軸３１とユニバーサルジョイント２８をスリーブ２９内に収容するように付勢する。
【００１５】
乾燥貯蔵槽３に穀粒が少ない場合は、撹拌棒１８にかかる穀粒の抵抗が少ないから、スライド軸３１とユニバーサルジョイント２８がコイルスプリング３５によりスリーブ２９内に引き上げられて、ユニバーサルジョイント２８は屈曲不能の状態に保持される。
この状態で撹拌棒１８が空回りしていても、ユニバーサルジョイント２８による撹拌棒１８の下端のぶれはなく、乾燥貯蔵槽３を傷付けたり、撹拌棒１８の損傷を防止する。
乾燥貯蔵槽３に穀粒が堆積した状態で撹拌棒１８を回転すると、撹拌棒１８に下向きの推力が発生する。このため撹拌棒１８がコイルスプリング３５に抗して沈下し、ユニバーサルジョイント２８をスリーブ２９から引き下げて屈折可能の状態にする。これにより乾燥貯蔵槽３内を撹拌棒１８が移動する際、ユニバーサルジョイント２８は屈折し、撹拌棒１８にかかる曲げ応力を軽減する。
【００１６】
【発明の効果】
以上のように、本発明では、撹拌棒回転軸にスリーブを設け、前記撹拌棒の上部を、このスリーブ内を上下スライド自在のユニバーサルジョイントを介して、前記移動台に載置した撹拌棒回転軸に連結する。そして、ユニバーサルジョイントを上向きに付勢して通常スリーブ内に収容した状態にし、撹拌棒に対する下向きの推力が過大になったとき、ユニバーサルジョイントが下方にスライドしてスリーブ外に出るようにした。
よって、撹拌棒の移動や穀粒の排出時に撹拌棒にかかる曲げ応力を軽減することができ、撹拌棒の曲りや折損を未然に防止することができる。
【図面の簡単な説明】
【図１】本発明の撹拌装置を設けた穀粒貯蔵倉庫の実施例を示す要部正面図である。
【図２】図１の穀粒貯蔵倉庫の要部側面図である。
【図３】図１の移動台の実施例を示す一部省略正面図である。
【図４】図１の移動台の実施例を示す一部省略平面図である。
【図５】図１の実施例のユニバーサルジョイントを固定した撹拌棒連結部の要部側面断面図である。
【図６】図１の実施例のユニバーサルジョイントを屈折自在にした撹拌棒連結部の要部側面断面図である。
【符号の説明】
１  穀粒貯蔵倉庫
２  仕切壁
３  乾燥貯蔵槽
４  床板
５  排出口
６  排出ローテーション用コンベア
７  ホッパ
８  導風路
９  はり
１０  監視用通路
１１  張込コンベア
１２  移動コンベア
１３  散布装置
１４  ガイドレール
１５  動輪
１６  移動台
１７  移動台移動装置
１８  撹拌棒
１９  撹拌棒駆動装置
２０  移動モータ
２１  回転方向変換器
２２  回転軸
２３  スライドレール
２４  台車
２５  台車移動装置
２６  駆動電動機
２７  撹拌棒回転軸
２８  ユニバーサルジョイント
２９  スリーブ
３０  段凹部
３１  スライド軸
３２  スライド孔
３３  段付部
３４  スリット
３５  コイルスプリング
３６  ピン
【図１】
0003646326.tif 000002
【図２】
0003646326.tif 000003
【図３】
0003646326.tif 000004
【図４】
0003646326.tif 000005
【図５】
0003646326.tif 000006
【図６】
0003646326.tif 000007